(57)【要約】【課題】音響変換素子に異常が発生した場合に、いずれの音響変換素子に異常が発生したかを特定することができる故障診断方法、電子機器、無線通信装置及びプログラムを提供する。【解決手段】無線通信装置１は、マイク１１ａ、１１ｂと、スピーカ１２とを備えている。この無線通信装置１における故障診断では、マイク１１ａ、１１ｂのそれぞれから取得された音の信号レベルを閾値と比較し、いずれかのマイクから取得された音の信号レベルが閾値未満の場合、スピーカ１２から試験音を出力する。そして、マイク１１ａ、１１ｂのうち信号レベルが閾値未満であったマイク以外のマイクから取得された試験音の信号レベルに基づいてスピーカ１２が正常であるか否かを判定する。また、正常であると判定されたスピーカを用いて、信号レベルが閾値未満であったマイクが正常であるか否かを判定する。【選択図】図３
2016116001.tif 000002
【特許請求の範囲】
【請求項１】
電子機器の故障診断方法であって、
前記電子機器が備える複数のマイクそれぞれから取得された音の信号レベルを予め定められた閾値と比較し、
前記複数のマイクのうちいずれかのマイクから取得された音の信号レベルが前記閾値未満の場合、前記電子機器が備える少なくとも１つのスピーカのうち特定のスピーカから予め定められた試験音を出力し、
前記複数のマイクのうち前記信号レベルが前記閾値未満であったマイク以外のマイクから取得された前記試験音の信号レベルに基づいて前記スピーカが正常であるか否かを判定し、
正常であると判定された前記スピーカを用いて、前記信号レベルが前記閾値未満であったマイクが正常であるか否かを判定する
故障診断方法。
【請求項２】
前記複数のマイクのうちいずれかのマイクから取得された音の信号レベルが前記閾値未満であることが予め定められた回数以上である場合に、前記スピーカから前記試験音を出力する
請求項１に記載の故障診断方法。
【請求項３】
前記信号レベルが前記閾値未満である回数は、前記電子機器の複数のマイクを使用するための操作時に、前記信号レベルが前記閾値未満である場合に計数されることを特徴とする請求項２に記載の故障診断方法。
【請求項４】
前記複数のマイクのうち前記信号レベルが前記閾値未満であるマイクが１つである場合に、前記スピーカから前記試験音を出力する
請求項１〜３の何れか１項に記載の故障診断方法。
【請求項５】
前記複数のマイク及び前記少なくとも１つのスピーカのうち、異常と判断されたものを特定して故障を報知する
請求項１〜４の何れか１項に記載の故障診断方法。
【請求項６】
前記電子機器が複数のスピーカを備える場合、前記複数のマイクのうち、正常であると判定された前記スピーカから出力された試験音の信号レベルが予め定められた試験音用閾値の所定の範囲内であるマイクを用いて、前記複数のスピーカのうち前記正常であると判定された前記スピーカ以外のスピーカが正常であるか否かを判定する
請求項１〜３の何れか１項に記載の故障診断方法。
【請求項７】
複数のマイクと、
少なくとも１つのスピーカと、
前記複数のマイクそれぞれから取得された音の信号レベルを予め定められた閾値と比較する比較手段と、
前記複数のマイクのうちいずれかのマイクから取得された音の信号レベルが前記閾値未満の場合、前記少なくとも１つのスピーカのうち特定のスピーカから予め定められた試験音を出力する試験音出力手段と、
前記複数のマイクのうち前記信号レベルが前記閾値未満であったマイク以外のマイクから取得された前記試験音の信号レベルに基づいて前記スピーカが正常であるか否かを判定し、前記スピーカが正常であると判定される場合、前記スピーカを用いて、前記信号レベルが前記閾値未満であったマイクが正常であるか否かを判定する判定手段と
を有する電子機器。
【請求項８】
前記試験音出力手段は、前記複数のマイクのうちいずれかのマイクから取得された音の信号レベルが前記閾値未満であることが予め定められた回数以上である場合に、前記少なくとも１つのスピーカのうち特定のスピーカから前記試験音を出力する
請求項７に記載の電子機器。
【請求項９】
前記信号レベルが前記閾値未満である回数は、前記電子機器の複数のマイクを使用するための操作時に、前記信号レベルが前記閾値未満である場合に計数されることを特徴とする請求項８に記載の電子機器。
【請求項１０】
複数の前記スピーカを有し、
前記判定手段は、前記複数のマイクのうち、正常であると判定された前記スピーカから出力された試験音の信号レベルが予め定められた試験音用閾値の所定の範囲内であるマイクを用いて、複数の前記スピーカのうち正常であると判定した前記スピーカ以外のスピーカが正常であるか否かを判定する
請求項７〜９の何れか１項に記載の電子機器。
【請求項１１】
複数のマイクと、
少なくとも１つのスピーカと、
前記複数のマイクのうち少なくとも１つのマイクに入力された音を送信する送信手段と、
前記複数のマイクそれぞれから取得された音の信号レベルを予め定められた閾値と比較する比較手段と、
前記送信手段による送信が行われている間に前記複数のマイクのうちいずれかのマイクから取得された音の信号レベルが前記閾値未満の状態となった回数の累積が予め定められた回数以上となった場合、前記少なくとも１つのスピーカのうち特定のスピーカから予め定められた試験音を出力する試験音出力手段と、
前記複数のマイクのうち前記信号レベルが前記閾値未満であったマイク以外のマイクから取得された前記試験音の信号レベルに基づいて前記スピーカが正常であるか否かを判定し、前記スピーカが正常であると判定される場合、前記スピーカを用いて、前記信号レベルが前記閾値未満であったマイクが正常であるか否かを判定する判定手段と
を有する無線通信装置。
【請求項１２】
電子機器のコンピュ―タに、
前記電子機器が備える複数のマイクそれぞれから取得された音の信号レベルを予め定められた閾値と比較するステップと、
前記複数のマイクのうちいずれかのマイクから取得された音の信号レベルが前記閾値未満の場合、前記電子機器が備える少なくとも１つのスピーカのうち特定のスピーカから予め定められた試験音を出力するステップと、
前記複数のマイクのうち前記信号レベルが前記閾値未満であったマイク以外のマイクから取得された前記試験音の信号レベルに基づいて前記スピーカが正常であるか否かを判定し、前記スピーカが正常であると判定される場合、前記スピーカを用いて、前記信号レベルが前記閾値未満であったマイクが正常であるか否かを判定するステップと
を実行させるプログラム。
【発明の詳細な説明】
【技術分野】
【０００１】
本発明は故障診断方法、電子機器、無線通信装置及びプログラムに関し、特に音響変換素子の故障診断に関する。
【背景技術】
【０００２】
マイク又はスピーカに故障が発生したことを検知する技術が知られている。例えば、特許文献１に記載された故障診断方法は、予め形成された可聴周波数のデジタルデータからなる所定のテスト信号をテスト信号送信部から通話機器のスピーカに送信して、そのテスト信号を通話機器のマイクを介してテスト信号受信部で受信すると共に、受信テスト信号と送信テスト信号を比較して求めたテスト結果の良否を、予め判定値格納部に格納されている基準値と比較して判定し、その判定結果を表示部に表示させる。
【先行技術文献】
【特許文献】
【０００３】
【特許文献１】特開２０００−９０３７３号公報
【発明の概要】
【発明が解決しようとする課題】
【０００４】
特許文献１に記載の故障診断方法では、スピーカから発したテスト信号をマイクで受信した際のテスト結果が不良であった場合、スピーカが不良であるのかマイクが不良であるのかを特定することが困難である。
【０００５】
本発明の目的は、音響変換素子に異常が発生した場合に、いずれの音響変換素子に異常が発生したかを特定することができる故障診断方法、電子機器、無線通信装置及びプログラムを提供することにある。
【課題を解決するための手段】
【０００６】
そこで、本発明は、電子機器の故障診断方法であって、前記電子機器が備える複数のマイクそれぞれから取得された音の信号レベルを予め定められた閾値と比較し、前記複数のマイクのうちいずれかのマイクから取得された音の信号レベルが前記閾値未満の場合、前記電子機器が備える少なくとも１つのスピーカのうち特定のスピーカから予め定められた試験音を出力し、前記複数のマイクのうち前記信号レベルが前記閾値未満であったマイク以外のマイクから取得された前記試験音の信号レベルに基づいて前記スピーカが正常であるか否かを判定し、正常であると判定された前記スピーカを用いて、前記信号レベルが前記閾値未満であったマイクが正常であるか否かを判定する故障診断方法を提供する。
【０００７】
また、本発明は、複数のマイクと、少なくとも１つのスピーカと、前記複数のマイクそれぞれから取得された音の信号レベルを予め定められた閾値と比較する比較手段と、前記複数のマイクのうちいずれかのマイクから取得された音の信号レベルが前記閾値未満の場合、前記少なくとも１つのスピーカのうち特定のスピーカから予め定められた試験音を出力する試験音出力手段と、前記複数のマイクのうち前記信号レベルが前記閾値未満であったマイク以外のマイクから取得された前記試験音の信号レベルに基づいて前記スピーカが正常であるか否かを判定し、前記スピーカが正常であると判定される場合、前記スピーカを用いて、前記信号レベルが前記閾値未満であったマイクが正常であるか否かを判定する判定手段とを有する電子機器を提供する。
【０００８】
また、本発明は、複数のマイクと、少なくとも１つのスピーカと、前記複数のマイクのうち少なくとも１つのマイクに入力された音を送信する送信手段と、前記複数のマイクそれぞれから取得された音の信号レベルを予め定められた閾値と比較する比較手段と、前記送信手段による送信が行われている間に前記複数のマイクのうちいずれかのマイクから取得された音の信号レベルが前記閾値未満の状態となった回数の累積が予め定められた回数以上となった場合、前記少なくとも１つのスピーカのうち特定のスピーカから予め定められた試験音を出力する試験音出力手段と、前記複数のマイクのうち前記信号レベルが前記閾値未満であったマイク以外のマイクから取得された前記試験音の信号レベルに基づいて前記スピーカが正常であるか否かを判定し、前記スピーカが正常であると判定される場合、前記スピーカを用いて、前記信号レベルが前記閾値未満であったマイクが正常であるか否かを判定する判定手段とを有する無線通信装置を提供する。
【０００９】
また、本発明は、電子機器のコンピュ―タに、前記電子機器が備える複数のマイクそれぞれから取得された音の信号レベルを予め定められた閾値と比較するステップと、前記複数のマイクのうちいずれかのマイクから取得された音の信号レベルが前記閾値未満の場合、前記電子機器が備える少なくとも１つのスピーカのうち特定のスピーカから予め定められた試験音を出力するステップと、前記複数のマイクのうち前記信号レベルが前記閾値未満であったマイク以外のマイクから取得された前記試験音の信号レベルに基づいて前記スピーカが正常であるか否かを判定し、前記スピーカが正常であると判定される場合、前記スピーカを用いて、前記信号レベルが前記閾値未満であったマイクが正常であるか否かを判定するステップとを実行させるプログラムを提供する。
【発明の効果】
【００１０】
本発明によれば、音響変換素子に異常が発生した場合に、いずれの音響変換素子に異常が発生したかを特定することができる故障診断方法、電子機器、無線通信装置及びプログラムを提供することができる。
【図面の簡単な説明】
【００１１】
【図１】図１は、実施の形態１にかかる電子機器の一例である無線通信装置の構成を示すブロック図である。
【図２】図２は、実施の形態１にかかるマイクロコントローラの機能構成の一例について示すブロック図である。
【図３】図３は、実施の形態１にかかる無線通信装置における故障診断の動作の一例を示すフローチャートである。
【図４】図４は、実施の形態２にかかる電子機器の一例である無線通信装置の構成を示すブロック図である。
【図５】図５は、実施の形態２にかかる無線通信装置における故障診断の動作の一例を示すフローチャートである。
【図６】図６は、図５に示したステップ３０の具体的な処理の一例を示すフローチャートである。
【発明を実施するための形態】
【００１２】
実施の形態１
以下、図面を参照して本発明の実施の形態について説明する。図１は、本実施の形態にかかる電子機器の一例である無線通信装置１の構成を示すブロック図である。無線通信装置１は、マイクロコントローラ１０、音響変換素子であるマイク１１ａ、１１ｂ、音響変換素子であるスピーカ１２、表示装置１３及びＰＴＴ（Push to Talk）スイッチ１４を有する。なお、以下の説明では、マイク１１ａ、１１ｂのうちいずれかを特定しない場合には、マイク１１と称することがある。
【００１３】
マイクロコントローラ１０は、図示しないＣＰＵ（Central Processing Unit）及びメモリを含み、無線通信装置１を制御する。マイクロコントローラ１０は、例えば、メモリに格納されているプログラムをＣＰＵが実行することによって各種制御を実現してもよい。なお、マイクロコントローラ１０による処理の少なくとも一部が、電気回路により実現されてもよい。
【００１４】
本実施の形態では、無線通信装置１は、マイク１１ａとマイク１１ｂの２つのマイクを備えている。ここで、マイク１１ａは、無線通信装置１の使用者が発した音声を主に取得するためのメインマイクである。また、マイク１１ｂは、ノイズキャンセル処理に利用するために設けられたサブマイクであり、無線通信装置１の周辺の雑音を主に取得する。マイク１１ａ及びマイク１１ｂにより取得された音の信号は、マイクロコントローラ１０に入力される。マイクロコントローラ１０では、マイク１１ａ及びマイク１１ｂにより取得された音の信号についてノイズキャンセル処理を行い、使用者が発した音声を図示しないアンテナなどにより無線送信する。
【００１５】
スピーカ１２は、マイクロコントローラ１０の制御により、例えば図示しないアンテナなどにより無線受信した信号に従って音を出力する。なお、スピーカ１２は、受信した信号に限らず、後述するアラーム音などを出力してもよい。
【００１６】
表示装置１３は、例えばＬＣＤ（liquid crystal display）であり、マイクロコントローラ１０の制御により、情報を表示する。なお、表示装置１３は、ディスプレイに限られない。例えば、表示装置１３は、ＬＥＤなどの発光状態により、情報を提示してもよい。
【００１７】
ＰＴＴスイッチ１４は、後述する送受信部１００で音声信号を送信するかしないかを切り替えるためのスイッチである。すなわち、ＰＴＴスイッチ１４は、無線通信装置１の通信状態を、後述する送受信部１００が音声信号を送信する送信状態又は送受信部１００が音声信号を送信しない非送信状態のいずれかの状態に切り替える。なお、送信状態は、通話状態ともいう。ＰＴＴスイッチ１４が押下されることにより、無線通信装置１の状態が非送信状態から送信状態へ切り替えられることで、音声信号の送信が行われる。
【００１８】
次に、無線通信装置１における故障診断にかかる具体的な構成について説明する。図２は、マイクロコントローラ１０の機能構成の一例について示すブロック図である。上述の通り、図２に示される構成の一部又は全ては、プログラムをＣＰＵが実行することによって実現されてもよいし、電気回路により実現されてもよい。
【００１９】
図２に示されるように、マイクロコントローラ１０は、送受信部１００、第１の比較部１０１、回数計数部１０２、試験音出力部１０３、第２の比較部１０４、故障判定部１０５及び報知部１０６を有する。
【００２０】
送受信部１００は、複数のマイク１１のうち少なくとも１つのマイクに入力された音を送信する。本実施の形態では、送受信部１００は、マイク１１ａ及びマイク１１ｂにより取得された音の信号についてノイズキャンセル処理を行い、使用者が発した音声を他の通信装置へ送信する。送受信部１００はＰＴＴスイッチ１４が押下されている場合に、音声信号を他の通信装置へ送信する。また、送受信部１００は、他の通信装置より無線送信される音声信号を受信する。ただし、送受信部１００は、ＰＴＴスイッチ１４が押下されている間は、受信処理を行わない。送受信部１００は、受信した音声信号を復号した後にスピーカ１２に出力する。
【００２１】
第１の比較部１０１は、複数のマイク１１ａ、１１ｂそれぞれから取得された音の信号レベルを予め定められた閾値と比較する。具体的には、第１の比較部１０１は、ＰＴＴスイッチ１４が押下されるとマイク１１ａにより取得された信号の電圧をＡＤ変換した音圧値が予め定められた閾値Ｔｈ１ａ以上であるか否かを判定する。また、第１の比較部１０１は、ＰＴＴスイッチ１４が押下されるとマイク１１ｂにより取得された音についても、マイク１１ａと同様にマイク１１ｂにより取得された信号の電圧をＡＤ変換した音圧値が予め定められた閾値Ｔｈ１ｂ以上であるか否かを判定する。なお、閾値Ｔｈ１ａ及び閾値Ｔｈ１ｂは、通常の使用環境で発せられた音声により正常な状態の複数のマイク１１ａ、１１ｂから取得された音圧値に対して十分に低くなるように設定されている。ここで、閾値Ｔｈ１ａ及び閾値Ｔｈ１ｂは、同じであってもよいし、異なってもよい。閾値Ｔｈ１ａ、Ｔｈ１ｂは、例えば、マイクロコントローラ１０の図示しないメモリに予め記憶されている。
【００２２】
第１の比較部１０１は、例えば、３００Ｈｚから３ＫＨｚの範囲の信号レベルについて閾値と比較する。具体的には、マイク１１の各々より取得された信号の電圧をＡＤ変換した信号を絶対値化し所定の期間積分した値を音圧値として閾値との比較を行う。また、第１の比較部１０１において、各々のマイク１１から得られる信号レベル（音圧値）と閾値との比較は同じタイミングで行われることが望ましい。第１の比較部１０１は、比較結果を回数計数部１０２に通知する。
【００２３】
回数計数部１０２は、各々のマイク１１により同じタイミングで得られた信号レベルのいずれかが閾値未満と判定された回数を計数する。なお、回数計数部１０２は、マイク１１ごとに計数値を管理する。すなわち、回数計数部１０２は、マイク１１ａについての信号レベルが閾値未満である場合、マイク１１ａについての計数値として計数し、マイク１１ｂについての信号レベルが閾値未満である場合、マイク１１ｂについての計数値として計数する。また、回数計数部１０２は、計数値が、予め定められた値以上となった場合、マイク１１のうち、閾値未満と判定された回数が予め定められた回数以上であるマイクについて仮異常状態である旨を試験音出力部１０３、第２の比較部１０４及び報知部１０６に通知する。すなわち、回数計数部１０２は、あるマイクについて、第１の比較部１０１により信号レベルが閾値未満と判定された回数が予め定められた回数以上である場合、あるマイクについて仮異常状態である旨を試験音出力部１０３等に通知する。ここで、予め定められた回数は、２以上の任意の数であり、使用者等により任意に設定可能である。
【００２４】
回数計数部１０２は、全てのマイク１１において、信号レベルが閾値未満と判定された場合、また全てのマイク１１において、信号レベルが閾値以上と判定された場合はいずれのマイク１１についても回数を計数しないよう構成されている。すなわち、回数計数部１０２は、ＰＴＴスイッチ１４が押下された際、マイク１１ａについての信号レベルが閾値未満でありかつマイク１１ｂについての信号レベルも閾値未満である場合、及びマイク１１ａについての信号レベルが閾値以上でありかつマイク１１ｂについての信号レベルも閾値以上である場合、回数計数部１０２は、マイク１１ａについても、マイク１１ｂについても回数を計数しないよう構成されている。このように構成することにより、無音環境下やマイクに故障が無い状態で、ＰＴＴスイッチ１４が押下された際に、マイク１１ａ及びマイク１１ｂが仮異常状態と誤判定されることが防がれる。なお、マイク１１のいずれか一方が原因で計数値が予め定められた値に達した場合には仮異常状態のマイクは明確である。しかし、これに限らず双方のマイクによる合計の計数が計数値に達した場合としてもよく、この場合はマイク１１のいずれかが仮異常状態であるとしてもよい。回数計数部１０２が行う仮異常状態であるか否かの判定を以降は仮異常判定と記載する。
【００２５】
試験音出力部１０３は、複数のマイク１１のうちいずれかのマイクから取得された音の信号レベルが上記閾値未満の場合、スピーカ１２から予め定められた試験音を出力する。本実施の形態では、試験音出力部１０３は、回数計数部１０２からの通知に従い、複数のマイク１１のうちいずれかのマイクから取得された音の信号レベルが閾値未満であることが予め定められた回数以上である場合に、スピーカ１２から試験音を出力する。
【００２６】
ただし、試験音出力部１０３は、信号レベルが閾値未満である回数によらず、スピーカ１２から試験音を出力してもよい。すなわち、複数のマイク１１のうちいずれかのマイクから取得された音の信号レベルが１度でも閾値未満であったら、試験音出力部１０３が試験音を出力するよう構成してもよいし、無線通信装置１の操作者の操作により試験音出力部１０３が試験音を出力するよう構成してもよい。複数のマイク１１のうちいずれかのマイクから取得された音の信号レベルが１度でも閾値未満であったら、試験音出力部１０３が試験音を出力する場合、回数計数部１０２が省略され、第１の比較部１０１が仮異常状態のマイクを特定するよう構成してもよい。
【００２７】
試験音出力部１０３は、試験音を出力する際、第２の比較部１０４に試験音を出力する旨を通知する。試験音は、例えば、予め定められた周波数の音である。試験音出力部１０３は、予め定められた複数の周波数（例えば、３００Ｈｚ、１ｋＨｚ、３ｋＨｚ）の音を順に出力してもよい。また、試験音出力部１０３は、予め定められた周波数帯域（例えば、３００Ｈｚ〜３ｋＨｚ）の全ての周波数について掃引しながら出力してもよい。
【００２８】
第２の比較部１０４は、マイク１１から取得された上記試験音の信号レベルを予め定められた閾値と比較する。第２の比較部１０４が行う判定を以降は正常判定と記載する。第２の比較部１０４は、マイク１１のうち仮異常状態と判定されていないマイクから取得された上記試験音の信号レベルを予め定められた閾値と比較する。また、第２の比較部１０４は、マイク１１のうち仮異常状態と判定されたマイクから取得された上記試験音の信号レベルを予め定められた閾値と比較する。
【００２９】
具体的には、第２の比較部１０４は、マイク１１から取得された試験音の音圧値が予め定められた閾値の範囲内であるか否かを判定する。音圧値は、仮異常判定時と同様に、マイクからの信号の電圧をＡＤ変換し、さらに絶対値化して所定の期間積分した値である。さらに、第２の比較部１０４は、判定結果を故障判定部１０５に通知する。
【００３０】
ここで、第２の比較部１０４は、例えば、マイク１１ａに対し閾値Ｔｈ２ａを用い、マイク１１ｂに対し閾値Ｔｈ２ｂを用いる。なお、閾値は、試験音出力部１０３が出力する試験音の周波数ごとに予め設けられていてもよい。閾値Ｔｈ２ａ、Ｔｈ２ｂは、例えば、マイクが正常な状態で試験音を取得した際の音圧値から得られた値であり、マイクロコントローラ１０の図示しないメモリに記憶されている。メモリに記憶されている閾値Ｔｈ２ａ、Ｔｈ２ｂは、試験音の音圧値そのものとして記憶し、第２の比較部１０４が比較する際には、閾値に対して所定の範囲内であれば正常と判定してもよい。むろん閾値Ｔｈ２ａ、Ｔｈ２ｂについては、試験音の音圧値そのものを記録するのではなく、試験音を取得した際の音圧値から、それぞれの閾値の上限値及び下限値を定めて記憶してもよい。メモリへの閾値の記憶は、無線通信装置１１の製造時だけに限られない。例えば、マイクやスピーカの交換時に閾値を書き換えることが可能であってもよい。
【００３１】
故障判定部１０５は、正常判定段階にて音圧値が閾値に対して所定の範囲内とされた場合にはスピーカは正常であるとし、仮異常判定段階で仮異常が検出されたマイクが故障であるか否かの判定を行う。故障判定部１０５が行う判定を以降は故障判定と記載する。具体的には、故障判定部１０５は、第２の比較部１０４から、マイク１１のうち仮異常状態と判定されていないマイクから取得された試験音の信号レベルが予め定められた閾値に対して所定の範囲内であると通知された場合、スピーカ１２が正常であると判定する。また、故障判定部１０５は、第２の比較部１０４から、マイク１１のうち仮異常状態と判定されていないマイクから取得された試験音の信号レベルが予め定められた閾値に対して所定の範囲内であると通知された場合、当該仮異常状態と判定されていないマイクが正常であると判定する。
【００３２】
さらに、故障判定部１０５は、第２の比較部１０４から、マイク１１のうち仮異常状態と判定されていないマイクから取得された試験音の信号レベルが予め定められた閾値に対して所定の範囲外であると通知された場合、スピーカ１２が異常であると判定する。すなわち、この場合、故障判定部１０５は、スピーカ１２が故障していると判定する。
【００３３】
また、故障判定部１０５は、正常であると判定されたスピーカ１２を用いて、仮異常状態と判定されたマイクが正常であるか否かを判定する。具体的には、故障判定部１０５は、第２の比較部１０４から、マイク１１のうち仮異常状態と判定されたマイクから取得された、正常なスピーカ１２からの試験音の信号レベルが予め定められた閾値に対して所定の範囲内であると通知された場合、仮異常状態と判定されたマイクが正常であると判定する。また、第２の比較部１０４から、マイク１１のうち仮異常状態と判定されたマイクから取得された、正常なスピーカ１２からの試験音の信号レベルが予め定められた閾値に対して所定の範囲外であると通知された場合、仮異常状態と判定されたマイクが異常であると判定する。すなわち、この場合、故障判定部１０５は、仮異常状態と判定されたマイクが故障していると判定する。
【００３４】
故障判定部１０５は、複数のマイク１１及びスピーカ１２のうちいずれかについて故障と判定した場合、報知部１０６に通知する。
【００３５】
報知部１０６は、故障判定部１０５からの通知に基づいて、アラートを行う。例えば、報知部１０６は、複数のマイク１１及びスピーカ１２のうち異常と判断されたものを特定して故障を報知する。具体的には、報知部１０６は、故障判定部１０５によりマイク１１ａが異常であると判定された場合、マイク１１ａが故障した旨を表示装置１３で表示出力する。また、報知部１０６は、故障判定部１０５によりマイク１１ｂが異常であると判定された場合、マイク１１ｂが故障した旨を表示装置１３で表示出力する。また、報知部１０６は、故障判定部１０５によりスピーカ１２が異常であると判定された場合、スピーカ１２が故障した旨を表示装置１３で表示出力する。また、報知部１０６は、回数計数部１０２からの通知に従い、アラートを行う。例えば、報知部１０６は、故障診断のための試験を開始する旨を表示装置１３で表示出力してもよいし、仮異常状態の音響変換素子が存在することを表示装置１３で表示出力してもよい。なお、報知部１０６は、表示装置１３に限らず、スピーカ１２によりアラーム音などにより報知してもよい。
【００３６】
いずれか一方のマイク１１が故障したことを主として順を追って説明をしてきたが、一回の試験音の出力により、マイク１１の双方が正常な状態か、マイク１１の一方が正常で他方が異常な状態か、マイク１１の双方が異常な状態かの判定を同時に行うことも可能である。この故障判定の根底にあるのが、少なくとも１つのマイクが正常判定により試験音の信号レベルが閾値の範囲内であった場合には試験音を発したスピーカは正常であり、正常とされたスピーカを用いたマイクの正常判定は信頼に足るもの、ということである。
【００３７】
よって、いずれのマイク１１の異常を検出したかが仮異常判定段階にて判明していなくてもよく、正常判定段階に移行するためのトリガーであってもよい。その後の故障判定段階にて、いずれのマイクが故障であったか、また、スピーカが故障であったかを判定できるからである。
【００３８】
次に、故障診断にかかる動作について説明する。図３は、無線通信装置１における故障診断にかかる動作の一例を示すフローチャートである。
【００３９】
ステップ１０（Ｓ１０）において、送受信部１００及び第１の比較部１０１は、ＰＴＴスイッチ１４が押下されたか否かを監視する。ＰＴＴスイッチ１４が押下されるまで、ＰＴＴスイッチ１４の押下を待つ待ち受け状態が継続される（Ｓ１０でＮｏ）。送受信部１００及び第１の比較部１０１が、ＰＴＴスイッチ１４の押下を検知した場合（Ｓ１０でＹｅｓ）、ステップ１１へ処理が移行する。
【００４０】
ステップ１１（Ｓ１１）において、無線通信装置１の通信状態が通話状態に切り替わり、送受信部１００による送信が行われる。ステップ１１の後、処理は、ステップ１２に移行する。
【００４１】
ステップ１２（Ｓ１２）において、第１の比較部１０１は、マイク１１ａにより取得された音の信号レベルの音圧値が予め定められた閾値以上であるか否かを判定する。また、第１の比較部１０１は、マイク１１ｂにより取得された音の音圧値が予め定められた閾値以上であるか否かを判定する。さらに、回数計数部１０２は、マイク１１ａにより取得された音の音圧値が予め定められた閾値未満であると第１の比較部１０１により判定されマイク１１ｂにより取得された音の音圧値が予め定められた閾値以上である場合、マイク１１ａに対する計数値を１増加させる。また、回数計数部１０２は、マイク１１ｂにより取得された音の音圧値が予め定められた閾値未満であると第１の比較部１０１により判定され、マイク１１ａにより取得された音の音圧値が予め定められた閾値以上である場合、マイク１１ｂに対する計数値を１増加させる。
【００４２】
なお、ステップ１２において、マイク１１ａについての信号レベルが閾値未満であり、かつ、マイク１１ｂについての信号レベルも閾値未満である場合、またマイク１１ａについての信号レベルが閾値以上であり、かつ、マイク１１ｂについての信号レベルも閾値以上である場合、回数計数部１０２が計数値を増加させない。ステップ１２の後、処理は、ステップ１３に移行する。
【００４３】
ステップ１３（Ｓ１３）において、送受信部１００及び第１の比較部１０１は、ＰＴＴスイッチ１４の押下が解除されたか否かを監視する。ＰＴＴスイッチ１４の押下が解除されるまで、通話状態が継続される（Ｓ１３でＮｏ）。ＰＴＴスイッチ１４の押下の解除を検知した場合（Ｓ１３でＹｅｓ）、ステップ１４へ処理が移行する。
【００４４】
ステップ１４（Ｓ１４）において、ＰＴＴスイッチ１４の押下が終了することにともない、無線通信装置１の通信状態が非送信状態に戻り、送受信部１００による送信が終了する。ステップ１４の後、処理は、ステップ１５に移行する。
【００４５】
ステップ１５（Ｓ１５）において、回数計数部１０２は、マイク１１ごとの計数値が、予め定められた値以上であるか否かを判定する。計数値が予め定められた値以上である場合、処理はステップ１６へ移行し、計数値が予め定められた値未満である場合、処理はステップ１０に戻る。回数計数部１０２は、マイク１１ａの計数値が予め定められた値以上である場合、マイク１１ａが仮異常状態である旨を試験音出力部１０３、第２の比較部１０４及び報知部１０６に通知する。また、回数計数部１０２は、マイク１１ｂの計数値が予め定められた値以上である場合、マイク１１ｂが仮異常状態である旨を試験音出力部１０３、第２の比較部１０４及び報知部１０６に通知する。
【００４６】
本実施の形態では、上述の通り、予め定められた値は２以上の値であるが、仮に予め定められた値が１である場合には、回数に関係なく仮異常状態と判定されることとなる。
【００４７】
ステップ１６（Ｓ１６）において、報知部１０６は、アラートを行う。具体的には、例えば、報知部１０６は、仮異常状態の音響変換素子が存在することを表示装置１３で表示出力する。
【００４８】
ステップ１７（Ｓ１７）において、試験音出力部１０３は、第２の比較部１０４に試験音を出力する旨を通知し、スピーカ１２から予め定められた試験音を出力する。このように、本実施の形態では、試験音出力部１０３は、送受信部１００による送信が行われている間に、複数のマイク１１のうちいずれかのマイクから取得された音の信号レベルが閾値未満の状態となった回数の累積が予め定められた回数以上となった場合、スピーカ１２から予め定められた試験音を出力する。
【００４９】
ステップ１８（Ｓ１８）において、第２の比較部１０４は、マイク１１のうち仮異常状態と判定されていないマイクから取得された試験音の信号レベルを予め定められた閾値と比較し、判定結果を故障判定部１０５に通知する。信号レベルが予め定められた閾値の所定の範囲外である場合（ステップ１９（Ｓ１９）でＮｏ）、処理はステップ２０に移行する。信号レベルが予め定められた閾値の所定の範囲内である場合（ステップ１９でＹｅｓ）、故障判定部１０５が、スピーカ１２及び当該仮異常状態と判定されていないマイクは正常であると判定し、処理はステップ２１に移行する。
【００５０】
ステップ２０（Ｓ２０）において、故障判定部１０５は、第２の比較部１０４から仮異常状態と判定されていないマイクから取得された試験音の信号レベルが予め定められた閾値の範囲外であるとの通知を受けて、スピーカ１２が故障していると判定する。なお、ここで、スピーカ１２が故障していると判定するのは、仮異常状態と判定されていないマイクが故障していることは想定し難いからである。報知部１０６は、故障判定部１０５による故障判定にしたがい、スピーカ１２が故障した旨を表示装置１３で表示出力する。このように、無線通信装置１は、いずれの音響変換素子に異常が発生したかを特定することができる。
【００５１】
一方、ステップ２１（Ｓ２１）では、第２の比較部１０４は、マイク１１のうち仮異常状態と判定されたマイクから取得された試験音の信号レベルを予め定められた閾値と比較し、判定結果を故障判定部１０５に通知する。信号レベルが予め定められた閾値の所定の範囲外である場合（ステップ２２（Ｓ２２）でＮｏ）、処理はステップ２３に移行する。信号レベルが予め定められた閾値の所定の範囲内である場合（ステップ２２でＹｅｓ）、故障判定部１０５が、仮異常状態と判定されたマイクが故障してはいないと判定し、処理がステップ１０に戻る。この場合、故障判定部１０５が、仮異常状態と判定されたマイクが正常であると判定してもよい。
【００５２】
ステップ２３（Ｓ２３）において、故障判定部１０５は、第２の比較部１０４から仮異常状態と判定されているマイクから取得された試験音の信号レベルが予め定められた閾値の所定の範囲外であるとの通知を受けて、当該仮異常状態と判定されているマイクが故障していると判定する。また、報知部１０６は、故障判定部１０５による故障判定にしたがい、当該仮異常状態と判定されているマイクが故障した旨を表示装置１３で表示出力する。このように、無線通信装置１は、いずれの音響変換素子に異常が発生したかを特定することができる。
【００５３】
なお、仮異常状態と判定されているマイクが故障したと故障判定部１０５により判定された場合、当該マイクのゲインの調整が自動で行われてもよい。例えば、マイクから取得された試験音の信号レベルのうち、ある周波数についての信号レベルが閾値を満たさないと判定されている場合、当該周波数のゲインを上げるよう調整するよう構成してもよい。
【００５４】
実施の形態２
次に、本発明の実施の形態２について説明する。実施の形態１にかかる無線通信装置１では、スピーカが１つであったが、本実施の形態では、図４に示されるように、複数のスピーカ１２ａ、１２ｂを備えている。本実施の形態では、実施の形態１における故障判定に加え、正常であると判定されたマイクを用いて各スピーカの故障判定を行う点で、実施の形態１における故障判定と異なる。なお、以下の説明では、スピーカ１２ａ、１２ｂのうちいずれかを特定しない場合には、スピーカ１２と称することがある。
【００５５】
図５は、実施の形態２にかかる無線通信装置１における故障診断にかかる動作の一例を示すフローチャートである。図５に示されるように、本フローチャートは、ステップ２２の後及びステップ２３の後に、新たにステップ３０（Ｓ３０）が設けられている点で、図３に示したフローチャートと異なっている。なお、本実施の形態では、ステップ１７において、試験音出力部１０３は、スピーカ１２ａ、１２ｂのうち、いずれかのスピーカから予め定められた試験音を出力するものとする。
【００５６】
ステップ３０は、無線通信装置１に設けられた各スピーカ１２について故障診断を行う処理である。ステップ１８の説明で示した通り、マイク１１のうち仮異常状態と判定されていないマイクから取得された試験音の信号レベルが予め定められた閾値の所定の範囲内である場合（ステップ１９でＹｅｓの場合）、故障判定部１０５により、当該仮異常状態と判定されていないマイクが正常であると判定される。
【００５７】
本実施の形態では、故障判定部１０５は、上記処理に加えさらに、次の処理を行う。実施の形態２にかかる故障判定部１０５は、正常であると判定されたスピーカから出力された試験音の信号レベルが予め定められた閾値の所定の範囲内であるとしてステップ１９で正常であると判定されたマイクを用いて、複数のスピーカ１２のうち正常であると判定したスピーカ以外のスピーカが正常であるか否かを判定する。むろん、複数のスピーカと複数のマイクとの組み合わせによる各々の閾値は、マイクロコントローラ１０の図示しないメモリに記憶されている。
【００５８】
以下、ステップ３０の詳細について説明する。図６は、ステップ３０の具体的な処理の一例を示すフローチャートである。
【００５９】
まず、ステップ３００（Ｓ３００）において、試験音出力部１０３は、故障判定対象のスピーカから試験音を出力する。例えば、ステップ１７において、スピーカ１２ａを用いて試験音を出力していた場合、ステップ１９でＹｅｓとなり、スピーカ１２ａが正常であると判定されている。したがって、そのような場合には、ステップ３００では、故障判定対象としてスピーカ１２ｂが選択され、試験音出力部１０３は、スピーカ１２ｂから試験音を出力する。ステップ３００の後、処理は、ステップ３０１へと移行する。
【００６０】
ステップ３０１（Ｓ３０１）では、第２の比較部１０４は、正常と判定されているマイクから取得された試験音の信号レベルを予め定められた閾値と比較し、判定結果を故障判定部１０５に通知する。信号レベルが予め定められた閾値の所定の範囲外である場合（ステップ３０２（Ｓ３０２）でＮｏ）、処理はステップ３０３に移行する。信号レベルが予め定められた閾値の所定の範囲内である場合（ステップ３０２でＹｅｓ）、故障判定部１０５が、ステップ３００で試験音を出力したスピーカは正常であると判定し、処理はステップ３０４に移行する。
【００６１】
なお、ステップ３０１において、本実施の形態では、ステップ１９で故障判定部１０５により正常であると判定されたマイクを用いているが、他のマイクが用いられてもよい。例えば、マイク１１それぞれについて、正常であると判定されているスピーカから出力した試験音の信号レベルが閾値の所定の範囲内であるかが確認され、閾値の所定の範囲内であるとして正常と判定されるマイクがステップ３０１において用いられてもよい。
【００６２】
ステップ３０３（Ｓ３０３）において、故障判定部１０５は、第２の比較部１０４から正常と判定されているマイクから取得された試験音の信号レベルが予め定められた閾値の所定の範囲外であるとの通知を受けて、ステップ３００で試験音を出力したスピーカが故障していると判定する。また、報知部１０６は、故障判定部１０５による故障判定にしたがい、ステップ３００で試験音を出力したスピーカが故障した旨を表示装置１３で表示出力する。このように、無線通信装置１は、複数のスピーカのうちいずれのスピーカに異常が発生したかを特定することができる。
【００６３】
ステップ３０４（Ｓ３０４）において、故障判定部１０５は、故障判定対象のスピーカ全てについて、試験音を出力したか否かを確認する。故障判定対象のスピーカ全てについて試験音が出力されていない場合、処理はステップ３００に戻り、残りのスピーカについて試験音が出力される。故障判定対象のスピーカ全てについて試験音が出力された場合、スピーカの故障判定処理は終了する。
【００６４】
なお、本発明は上記実施の形態に限られたものではなく、趣旨を逸脱しない範囲で適宜変更することが可能である。例えば、上記実施の形態では、マイクは２つであるが、マイクは２つに限らず複数であればよい。また、上記実施の形態では、ノイズキャンセルに用いるために複数のマイクを設けているが、マイクの用途はこれに限られない。また、電子機器は、無線通信機器に限らず、例えば、一般的な電子機器、例えばステレオ録音再生が可能なレコーダであってもよく、マイクからの録音中にマイクの仮異常検出を行うものとして本発明の故障診断方法を用いてもよい。また、各実施の形態におけるスピーカの数についても、上記に示した数に限定されない。
【００６５】
また、マイクロコントローラ１０の構成をプログラムの実行により実現する場合、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００６６】
１    無線通信装置
１０    マイクロコントローラ
１１    マイク
１２    スピーカ
１３    表示装置
１４    ＰＴＴスイッチ
１００    送受信部
１０１    第１の比較部
１０２    回数計数部
１０３    試験音出力部
１０４    第２の比較部
１０５    故障判定部
１０６    報知部
【図１】
2016116001.tif 000003
【図２】
2016116001.tif 000004
【図３】
2016116001.tif 000005
【図４】
2016116001.tif 000006
【図５】
2016116001.tif 000007
【図６】
2016116001.tif 000008